(57)【要約】【課題】  軽くて持ち運びが簡単で場所を取らない、携帯用の調理シートであり、食べ物をにたり、飲み物を沸かしたり出来るようにする。【解決手段】  発熱膜と、前記発熱膜を保護する保護膜とで構成された発熱シートであって、前記発熱シートに電圧を印加する電圧印加手段としての電池を備えている。【選択図】  図１
2006334331.tif 000002
【特許請求の範囲】
【請求項１】
発熱膜と、該発熱膜を保護する保護材とで形成された発熱シートと、前記発熱シートに電圧を印加する電圧印加手段とで構成されたシート式発熱器であって、前記電圧印加手段の電源は、前記発熱器に内蔵される電池を使用することを特徴とするシート式発熱器。
【請求項２】
前記電圧印加手段の電源は、前記発熱器に接続される配線により外部からの電源を供給可能とすることを特徴とする請求項１記載のシート式発熱器。
【請求項３】
前記発熱膜は、雲母もしくはそれらの混合物からなる第一の基礎材と、ケイ素、シリコン、セラミックスもしくはそれらを含む混合物からなる第二の基礎材により形成することを特徴とする請求項１または請求項２記載のシート式発熱器。
【発明の詳細な説明】
【技術分野】
【０００１】  本発明は、食べ物を煮たりや飲み物を温めたりするためのシート式発熱器に関する。
【背景技術】
【０００２】  従来、例えば食べ物を煮たりや飲み物を温めたりするためのガスコンロは一般に固定式であるが、持ち運び出来るものとしてはカセット式ガスボンベのものがある。【０００３】  また、面状導線膜発熱体の基板を容器の下に設置して電源コードを接続し、差込口に差し込み接続することが提案されている。
【発明の開示】
【発明が解決しようとする課題】
【０００４】  しかしながら、従来は収納や運搬等において、次のような問題点があった。
カセット式ガスボンベは点火機構を含め機械式の機構であり複雑で容積が大きくなる。
金属性で重量がある。
折りたたみやロールに巻いたり出来ず嵩張る。
鍋物等の水分により錆び易い。【０００５】  面状導線膜発熱体に電源コードにて電圧を印加する方法では、電源設備の無いところでは使用出来ない。
基板、電源コードが携帯のコンパクト化の妨げになる。【０００６】  この発明の目的は、従来の問題を解決するためになされたもので、食べ物を煮たりや飲み物を温めたりするための、外部の電源が不要で持ち運び簡単なロール状に巻いたり出来るユンパクトなシート式発熱器を提供することである。
【課題を解決するための手段】
【０００７】  本発明に係わるシート式発熱器は、請求項１に記載のように、発熱膜と、該発熱膜を保護する保護材とで形成された発熱シートと、前記発熱シートに電圧を印加する電圧印加手段とで構成されたシート式発熱器であって、前記電圧印加手段の電源は、前記発熱器に内蔵される電池を使用することを特徴とする。【０００８】  請求項２では、前記電圧印加手段の電源は、前記発熱器に接続される配線により外部からの電源を供給可能とすることを特徴とする。【０００９】  請求項３では、前記発熱膜は、雲母もしくはそれらの混合物からなる第一の基礎材と、ケイ素、シリコン、セラミックスもしくはそれらを含む混合物からなる第二の基礎材により形成することを特徴とする。
【発明の効果】
【０００１０】  請求項１による発明の効果を説明する。
発熱膜と保護材で構成された発熱シートは薄くて軽いので持ち運びが容易である。
外部の電源が不要であるので何処でも使え、野外での利用に便利である。
断熱材を折り曲げやロール巻きが容易な材質のものとすることによりコンパクトに収納出来る。
保護材として下面に断熱材を使用することで、食卓のテーブルのみならず事務机等にもおける等置く場所を限定されない。
発熱膜は保護材で覆われているので発熱膜を水分、機械的損傷等から保護できる。
前記絶縁材料の保護材の上に保護膜としてフッ素を含む材料を使用することにより水分をはじくことが出来る。【００１１】  請求項２による発明の効果を説明する。
発熱シートは薄くて軽いので持ち運びが容易である。コンパクトで何処でもおける。
外部の電源が使える場合は何処でも使え、電池切れの心配がない。
車両のシガライタープラグを利用することにより野外でも使用出来る。【００１２】  請求項３による発明の効果を説明する。
前記発熱膜は導電物質を非導電物質に塗布し通電して発熱する面状発熱体を改良した性状を呈し、発熱効率を上げることが出来る。
前記第一の基礎材、および第二の基礎材に対する添加剤の混合比を変えることにより容易に発熱能力を変えることが出来る。
前記の発熱能力の向上により、電池でも十分な火力を得られる。
【発明を実施するための最良の形態】
【００１３】  発明を実施するための最良の形態について説明する。
【実施の形態１】
【００１４】  図１は、調理用携帯シート式発熱器の外観図である。
発熱シート１と、電池ボックス２と、電源スイッチ３と、を有している。
図２は、図１におけるＡ−Ａでの発熱シートの断面図である。
図２に示すように発熱シート１は、面状発熱膜４の下面に断熱シート５、表面には絶縁保護膜６が施されている。
面状発熱膜４の両端は、面状発熱膜４に電圧を印加する手段としての棒状電極７に接している。
棒状電極７の端部は、電池の陰極、陽極に接して配線されている。
電源スイッチ３をオンさせると棒状電極７に電圧がかかり、棒状電極７を介して面状発熱膜４に電圧が印加される。
すると、面状発熱膜４には、その電気抵抗および印加される電圧に応じて熱が発生して、発熱シート１の上の物体を加熱する。
【００１５】  図２に示すように、面状発熱膜４の表面には絶縁保護膜６を備える。
絶縁保護膜６はビニルフィルムのような透明の絶縁材料であり、面状発熱膜４における本来の機能を害することもなく、絶縁されるので人体にも安全である。
また、絶縁保護膜６の上に、フッ素を含む材料で形成される保護膜をかさねる。
この様に構成すれは、水分をはじくことが出来る。
水分や湿気の多い環境において、面状発熱膜４の水分や湿気による劣化を防ぐことが出来る。
【００１６】  面状発熱膜４においては、雲母もしくはそれらの混合物からなる第一の基礎材と、ケイ素、シリコンもしくはそれらを含む混合物からなる第二の基礎材と、前記第一の基礎材、および第二の基礎材に対する添加剤により形成された面状発熱膜であり、導電物質を非導電物質に塗布し通電して発熱する面状発熱体の様な性状を呈し、従来の物に比べて混合比を変えることにより容易に発熱能力を変えることが出来る性状がある。
前記発熱能力の向上により、電源にこの調理用携帯シート式加熱器に内蔵する電池を使用しても十分な火力を得られる事が出来る。
【実施の形態２】
【００１７】  図３は、携帯発熱弁当箱の外観図である。
図４は、図３におけるＡ−Ａでの断面図である。
弁当箱本体９の底部に発熱シート１が施されている。
また、電池交換口１１から電池を備え、電池から電線ケーブルが棒状電極７につながっている。
発熱シート１の両端は棒状電極７に接している。
電池から棒状電極７に電圧がかかり、棒状電極７を介して発熱シート１に電圧が印加される。
その電気抵抗および印加される電圧に応じて熱が発生して弁当箱本体９を加熱する。
携帯発熱弁当箱の全体加熱により、何時でも温かい弁当が食べられる。
【実施の形態３】
【００１８】  図５は、調理用携帯発熱鍋の外観図である。
鍋側壁面１３の外側に発熱シートコーティング１４が施されている。
また、プラグ１５を備え、プラグ１５から電線ケーブル１６が発熱シートコーティング１４につながっている。
図６は、図５におけるＡ−Ａでの発熱シートコーティング１４の断面図である。
図６に示すように面状発熱膜４は、絶縁保護膜６によりサンドイッチ状に保護されている。
面状発熱膜４の両端は棒状電極７に接している。
棒状電極７の端部は、電線ケーブル１６により陰極、陽極に接して配線されている。
外部電源から棒状電極７に電圧がかかり、棒状電極７を介して面状発熱膜４に電圧が印加される。
すると、面状発熱膜４には、その電気抵抗および印加される電圧に応じて熱が発生して鍋側壁面１３を加熱する。
鍋側壁面１３の全体加熱により、従来の鍋下面だけを加熱する方法に比べ過熱効率が大幅に向上する。
また、車両のシガライタープラグを利用することにより野外でも使用出来る。また、鍋にセットされる電池から棒状電極７に電圧がかかると、鍋を加熱することもできる。
【図面の簡単な説明】
【００１９】
【図１】  本発明の実施形態１における調理用携帯シート式発熱器の外観図である。
【図２】  図１のＡ−Ａにおける発熱シートの断面図である。
【図３】  本発明の実施形態２における携帯発熱弁当箱の外観図である。
【図４】  図３のＡ−Ａでの断面図である。
【図５】  本発明の実施形態３における調理用携帯発熱鍋の外観図である。
【図６】  図５のＡ−Ａにおける発熱シートコーティングの断面図である。
【符号の説明】
【００２０】１  発熱シート
２  電池ボックス
３  電源スイッチ
４  面状発熱膜
５  断熱シート
６  絶縁保護膜
７  棒状電極
８  カバー
９  弁当箱本体
１０  留め金
１１  電池交換口
１２  スウィッチ
１３  鍋側壁面
１４  発熱シートコーティング
１５  プラグ
１６  電線ケーブル
【図１】
2006334331.tif 000003
【図２】
2006334331.tif 000004
【図３】
2006334331.tif 000005
【図４】
2006334331.tif 000006
【図５】
2006334331.tif 000007
【図６】
2006334331.tif 000008